(57)【要約】【課題】  本発明は、音の伝播を改善することにより感度を従来より向上させた防水構造のマイクロホンを提供することを目的とする。【解決手段】  本発明では、被実装機器の筐体に設けられた一方面が開口である筒形状の凹部に、防水シート１０３を介して、一方面が開口である筒形状のマイクキャップ１１を装着した状態で、挿着される防水構造のマイクロホンであって、凹部の底面には音を通過させ得る第１入口部が形成され、マイクロホン１０１の集音面１０１−ａに対向するマイクキャップ１１の面には音を通過させ得る第２入口部１１−ａが形成され、そして、防水シート１０３とマイクキャップ１１の面との間にはギャップ１０７が形成された防水構造のマイクロホンは、ギャップ１０７から外部へ通じる空気通路部となる切込み部１１−ｂを設ける。【選択図】      図２
2005184422.tif 000002
【特許請求の範囲】
【請求項１】
被実装機器の筐体に設けられた一方面が開口である筒形状の凹部に、防水シートを介して、一方面が開口である筒形状のマイクキャップを装着した状態で、挿着される防水構造のマイクロホンであって、前記凹部の底面には音を通過させ得る第１入口部が形成され、前記マイクロホンの集音面に対向する前記マイクキャップの面には音を通過させ得る第２入口部が形成され、そして、前記防水シートと前記マイクキャップの面との間にはギャップが形成された防水構造のマイクロホンにおいて、
前記ギャップから外部へ通じる空気通路部を設けたこと
を特徴とする防水構造のマイクロホン。
【請求項２】
前記空気通路部は、前記マイクキャップにおける前記一方面から前記面まで軸方向に形成された切込みによる空間であること
を特徴とする請求項１に記載の防水構造のマイクロホン。
【請求項３】
前記空気通路部は、前記マイクキャップにおける前記一方面から前記面まで軸方向に側部内面に形成された溝による空間であること
を特徴とする請求項１に記載の防水構造のマイクロホン。
【請求項４】
前記空気通路部は、前記マイクキャップの側部外面に貼着したテープと前記側部外面とによって形成された段差による空間であること
を特徴とする請求項１に記載の防水構造のマイクロホン。
【請求項５】
前記空気通路部は、前記マイクキャップの側部内面に突設された複数の突部によって形成された前記マイクキャップの側部内面と前記マイクロホンの側部外面との間の空間であること
を特徴とする請求項１に記載の防水構造のマイクロホン。
【請求項６】
前記複数の突部は、軸方向における上下方向に千鳥格子状に配置される周方向線状突部であること
を特徴とする請求項５に記載の防水構造のマイクロホン。
【請求項７】
前記空気通路部は、前記マイクキャップにおける前記一方面から前記面まで外側面に軸方向に形成された溝と、側部を径方向に貫通すると共に前記溝と前記第２ギャップとを連通させる貫通孔とからなる空間であること
を特徴とする請求項１に記載の防水構造のマイクロホン。
【請求項８】
前記空気通路部は、前記マイクキャップにおける前記一方面から他方面まで側部外面に軸方向に形成された溝であること
を特徴とする請求項１に記載の防水構造のマイクロホン。
【請求項９】
前記空気通路部は、前記マイクロホンにおける前記一方面から他方面まで側部外面に軸方向に形成された溝であること
を特徴とする請求項１に記載の防水構造のマイクロホン。
【請求項１０】
前記空気通路部に、前記マイクロホンが動作中に開く空気弁をさらに備えたこと
を特徴とする請求項１に記載の防水構造のマイクロホン。
【発明の詳細な説明】
【技術分野】
【０００１】
本発明は、防水構造を備えた防水構造のマイクロホンに関し、特に、感度を向上させた防水構造のマイクロホンに関する。
【背景技術】
【０００２】
住人が住居内に居ながらにして玄関先の来訪者と通話を可能とするドアホンは、住居のリビング等に設置されるドアホン親機と、玄関先の門柱等に設置されるドアホン子機とを備えて構成される。そして、これらドアホン親機及びドアホン子機には、通話のために音声を集音することを主目的としてマイクロホンがそれぞれ内部に実装される。ここで、ドアホン子機は、風雨に晒される屋外に通常設置されるため、実装されるマイクロホンには防水構造が採用されている。防水構造を備えたマイクロホンは、従来、様々な防水構造が提案されており、例えば、特許文献１に記載の防水構造がある。
【０００３】
図１２は、特許文献１に記載の防水構造を備えるマイクロホンを示す断面図である。図１３は、特許文献１に記載の防水構造を示す分解斜視図である。
【０００４】
特許文献１に記載の防水構造のマイクロホン１００は、ドアホン子機に実装される場合の防水構造である。図１２及び図１３において、例えば合成樹脂製の成形品からなるドアホン子機の筐体１０２は、マイクロホン１０１を実装するために、筐体１０２の内側に略円筒状の突片部１０２−ｂが突設される。突片部１０２−ｂにおける内部空間１０２−ｃの前面に当たる筐体１０２には、音を通過させるための貫通孔である第１入口部１０２−ａが穿設されている。
【０００５】
回路基板１０５に配設されたマイクロホン１０１は、マイクロホン１０１を覆いかつ音を通過させるための貫通孔である第２入口部１０４−ａを備えるマイクキャップ１０４が装着され、その状態で薄い防水シート１０３が被せられて、突片部１０２−ｂの内部空間１０２−ｃに押し込まれる。これによってマイクロホン１０１は、防水性を備えつつドアホン子機の筐体１０２に実装される。
【０００６】
そして、音の取り込みを良好にするために、第１入口部１０２−ａと防水シート１０３との間に、及び、防水シート１０３と第２入口部１０４−ａとの間に、それぞれギャップ１０６、１０７が設けられている。
【特許文献１】実公平６−２３０８６号公報
【発明の開示】
【発明が解決しようとする課題】
【０００７】
ところで、このような防水構造を備えた防水構造のマイクロホン１００は、筐体１０２に突設された突片部１０２−ｂの内部空間１０２−ｃに押し込まれて実装されるため、空気が圧縮されて、防水シート１０３とマイクロホン１０１との間の空間（ギャップ１０７が含まれる空間）における気圧が筐体１０１と防水シート１０３との間の空間（ギャップ１０６が含まれる空間）における気圧よりも高い状態（以下、「比高気圧状態」と呼称することにする。）となる場合があった。この場合、第１入口部１０２−ａ及びギャップ１０６を伝播した音が防水シート１０３を良好に振動させることができない結果、第１入口部１０２−ａからマイクロホン１０１に伝播する音が弱められてしまうという問題があった。
【０００８】
本発明は、上述の事情に鑑みて為された発明であり、音の伝播を改善することにより感度を従来より向上させた防水構造のマイクロホンを提供することを目的とする。
【課題を解決するための手段】
【０００９】
上述の目的を達成するために、本発明では、被実装機器の筐体に設けられた一方面が開口である筒形状の凹部に、防水シートを介して、一方面が開口である筒形状のマイクキャップを装着した状態で、挿着される防水構造のマイクロホンであって、前記凹部の底面には音を通過させ得る第１入口部が形成され、前記マイクロホンの集音面に対向する前記マイクキャップの面には音を通過させ得る第２入口部が形成され、そして、前記防水シートと前記マイクキャップの面との間にはギャップが形成された防水構造のマイクロホンは、前記ギャップから外部へ通じる空気通路部を設けたことを特徴とする。
【００１０】
そして、上述の防水構造のマイクロホンにおいて、前記空気通路部は、前記マイクキャップにおける前記一方面から前記面まで軸方向に形成された切込みによる空間であることを特徴とする。
【００１１】
また、上述の防水構造のマイクロホンにおいて、前記空気通路部は、前記マイクキャップにおける前記一方面から前記面まで軸方向に側部内面に形成された溝による空間であることを特徴とする。
【００１２】
さらに、上述の防水構造のマイクロホンにおいて、前記空気通路部は、前記マイクキャップの側部外面に貼着したテープと前記側部外面とによって形成された段差による空間であることを特徴とする。
【００１３】
そして、上述の防水構造のマイクロホンにおいて、前記空気通路部は、前記マイクキャップの側部内面に突設された複数の突部によって形成された前記マイクキャップの側部内面と前記マイクロホンの側部外面との間の空間であることを特徴とする。
【００１４】
また、上述の防水構造のマイクロホンにおいて、前記複数の突部は、軸方向における上下方向に千鳥格子状に配置される周方向線状突部であることを特徴とする。
【００１５】
さらに、上述の防水構造のマイクロホンにおいて、前記空気通路部は、前記マイクキャップにおける前記一方面から前記面まで外側面に軸方向に形成された溝と、側部を径方向に貫通すると共に前記溝と前記第２ギャップとを連通させる貫通孔とからなる空間であることを特徴とする。
【００１６】
そして、上述の防水構造のマイクロホンにおいて、前記空気通路部は、前記マイクキャップにおける前記一方面から他方面まで側部外面に軸方向に形成された溝であることを特徴とする。
【００１７】
また、上述の防水構造のマイクロホンにおいて、前記空気通路部は、前記マイクロホンにおける前記一方面から他方面まで側部外面に軸方向に形成された溝であることを特徴とする。
【００１８】
さらに、上述の防水構造のマイクロホンにおいて、前記空気通路部に、前記マイクロホンが動作中に開く空気弁をさらに備えたことを特徴とする。
【発明の効果】
【００１９】
本発明に係る防水構造のマイクロホンは、ギャップから外部へ通じる空気通路部を設けたので、ギャップの比高気圧状態を解消してギャップの気圧と外部の気圧とを略等しくすることができるから、第１入口部からの音を良好にマイクロホンへ導くことができる。このため、防水構造のマイクロホンにおける感度を従来に較べて改善することができる。
【発明を実施するための最良の形態】
【００２０】
以下、本発明に係る実施形態を図面に基づいて説明する。なお、各図において同一の符号を付した構成は、同一の構成であることを示し、その説明を省略する。
（第１の実施形態）
第１の実施形態に係る、音を通過させ得る第１入口部を有する前面部材と、前記前面部材との間に第１ギャップを形成するように前記前面部材に配置された防水シートと、音を通過させ得る第２入口部を有すると共に前記第２入口部を有する面が前記防水シートとの間に第２ギャップを形成して前記防水シートに密接されるマイクキャップとを備え、前記マイクキャップに装着される防水構造のマイクロホンは、前記第２ギャップから外部へ通じる空気通路部をマイクキャップに設けたものである。
【００２１】
本発明に係る防水構造のマイクロホンは、防水性を必要とする機器（被実装機器）、例えば、屋外に設置されるドアホン子機、浴室内に設置されドアホン親機を介してドアホン子機と少なくとも通話可能なドアホン副親機、携帯電話、テープレコーダやＩＣレコーダ、及び、カメラ一体型ビデオレコーダ等に実装可能であるが、本実施形態では、その一例として防水構造のマイクロホンがドアホン子機に実装される場合について説明する。
【００２２】
図１は、第１の実施形態に係る防水構造のマイクロホンの断面図である。図２は、第１の実施形態に係るマイクキャップの構造を説明するための図である。図２（Ａ）は、マイクキャップの上面図であり、図２（Ｂ）は、（Ａ）に示すＡＡ線におけるマイクキャップの断面図であり、図２（Ｃ）は、マイクキャップの斜視図である。なお、図１２及び図１３に示す背景技術に係る防水構造のマイクロホンと同一の構成については、同一の符号を付している。また、図２（Ｂ）では、マイクロホン１０１及び防水シート１０３が二点鎖線で示されている。後述の図３乃至図６、図８、及び、図９も同様である。
【００２３】
図１及び図２において、例えば合成樹脂製の成形品からなるドアホン子機の筐体１０２には、マイクロホン１０１を実装するために、筐体１０２の内側に一方面が開口する略筒状の突片部（筒状の側部を構成する）１０２−ｂが突設される。突片部１０２−ｂにおける内部空間１０２−ｃの前面（上記開口面に対向する面）に当たる筐体１０２には、音を通過させるための貫通孔である第１入口部１０２−ａが穿設されている。第１入口部１０２−ａの断面形状は、矩形でも円形でも楕円形でもよい。
【００２４】
マイクロホン１０１は、音波によって生ずる振動板等の機械的な振動を電気信号に変換する装置であり、例えば、ダイナミックマイクロホンやコンデンサマイクロホン等である。マイクロホン１０１は、これを動作させるための電子回路を実装した回路基板１０５に配設され、マイクキャップ１１が装着される。
【００２５】
マイクキャップ１１は、例えばゴム等の弾力性のある材質によって製造されたマイクロホン１０１を覆うための部材である。マイクキャップ１１は、略筒形状であり、音を通過させるための貫通孔である第２入口部１１−ａを備える壁面部１１−ｆが、軸方向に垂直な面内で、防水シート１０３が開口面１１−ｇに被せられた場合に防水シート１０３とこの壁面部１１−ｆとの間にギャップ（防水シート後面ギャップ）１０７を形成する位置において、筒形状の内部に形成されている。そして、マイクキャップ１１には、その開口面１１−ｅからマイクロホン１０１が押し込まれた場合に、マイクロホン１０１の集音面１０１−ａと壁面部１１−ｆとの間にギャップ（集音面前面ギャップ）１１−ｈを形成するために、壁面部１１−ｆが筒形状の側部内面に接する部分に全周に亘って段部１１−ｄが形成されている。
【００２６】
さらに、マイクキャップ１１には、防水シート後面ギャップ１０７から外部に通じる空気通路部となる切込み部１１−ｂが、筒形状の側部１１−ｉに開口面１１−ｅから壁面部１１−ｆにおける集音面前面ギャップ１１−ｈの一面を構成する面まで、軸方向に沿って断面略扇形状で形成される。
【００２７】
マイクロホン１０１は、マイクキャップ１１の開口面１１−ｅからその内部空間１１−ｃに押し込まれることによって、マイクキャップ１１が装着される。マイクロホン１０１は、マイクキャップ１１が装着された状態で薄い防水シート１０３がマイクキャップ１１の開口面１１−ｇに被せられて、突片部１０２−ｂの内部空間１０２−ｃに押し込まれる。これによってマイクロホン１０１は、マイクキャップ１１の弾力性による摩擦力により筐体１０２の突片部１０２−ｂにしっかり挿着されて、防水性を備えつつドアホン子機の筐体１０２に実装される。また、切込部１１−ｂと防水シート１０３とでパイプ状の空間が形成され、これが空気通路部となる。
【００２８】
そして、マイクキャップ１１を装着されたマイクロホン１１が筐体１０２に実装された状態において第１入口部１０２−ａを備える前面と防水シート１０３との間にギャップ（防水シート前面ギャップ）１０６を形成するように、内部空間１０２−ｃにおける筐体１０２の前面には、凹部１０２−ｄが形成される。
【００２９】
人間の通常の音声帯域である１ｋＨｚ帯の出力をマイクロホン１０１から大きく得るためには、実験によると防水シート前面ギャップ１０６、防水シート後面ギャップ１０７及び集音面前面ギャップ１１−ｈの各ギャップにおけるギャップ径を６ｍｍ以上とし、かつハウリング要素となり得る約２ｋＨｚ〜３ｋＨｚの出力を小さくするためには、第１入口部１０２−ａ及び第２入口部１１−ａの入口径を１．５ｍｍ以下とするのが好ましい。さらに、マイクキャップ１１の壁面部１１−ｆと防水シートの間に、ハウリング要素の周波数の通過を抑制する例えば紙や布製等のフィルタ３１（図１に破線で示す）をさらに備えてもよい。
【００３０】
このように本実施形態に係る防水構造のマイクロホン１０は、マイクキャップ１１に空気通路部となる切込み部１１−ｂを備えるので、マイクロホン１０１がマイクキャップ１１を装着してさらに防水シート１０３を被せた状態で、筐体１０２の突片部１０２−ｂによる内部空間１０２−ｃに押し込まれて被実装機器に実装されたとしても、防水シート後面ギャップ１０７は、第２入口部１１−ａ、集音面前面ギャップ１１−ｈ及び切込み部１１−ｂを介して外部と通じるようにすることができる。このため、防水シート後面ギャップ１０７、第２入口部１１−ａ及び集音面前面ギャップ１１−ｈの各気圧は、外部の気圧と略等しくすることができるから、第１入口部１０２−ａに取り込まれた音波によって防水シート１０３が良好に振動することができ、この取り込まれた音波を従来よりも確実に防水シート後面ギャップ１０７、第２入口部１１−ａ及び集音面前面ギャップ１１−ｈを介して、マイクロホン１０１に伝播することができる。従って、従来よりもマイクロホン１０１からより大きな出力を得ることができ、防水構造のマイクロホン１０における感度を向上することができる。また、空気通路部は、切込みで形成されるので、簡易に形成することができる。
【００３１】
なお、本実施形態における突片部１０２−ｂは、マイクキャップ１１の断面における外形状に合わせて断面円形状の略円筒状であるが、マイクキャップ１１の断面における外形状に合わせて断面楕円形状の筒状や断面四角形状等の断面多角形状の筒状でもよい。また、本実施形態におけるマイクキャップ１１は、マイクロホン１０１の断面における外形状に合わせて断面円形状の略円筒状であるが、マイクロホン１０１の断面における外形状に合わせて断面楕円形状の筒状や断面四角形状等の断面多角形状の筒状でもよい。さらに、マイクキャップ１１の内部空間１１−ｃの断面形状は、マイクロホン１０１の断面における外形形状に合わせ、マイクキャップ１１の外形状は、突片部１０２−ｂの内部空間１０２−ｃの断面形状に合わせた形状でよい。本明細書では、筒形状には、断面円形状だけでなく、断面楕円形状や断面多角形状を含む。
【００３２】
また、本実施形態では、マイクキャップ１１には、形状を安定させる目的で壁面部１１−ｆを備えるが、壁面部１１−ｆを備えなくてもよく、この場合には、切込み部１１−ｂは、マイクロホン１０１にマイクキャップ１１を装着した場合に、マイクロホン１１の集音面１０１−ａよりも開口面１１−ｇ側に達していればよい。
【００３３】
次に、第１の実施形態における第１の変形形態について説明する。
（第１の実施形態における第１の変形形態）
図３は、第１の実施形態における第１の変形形態に係るマイクキャップの構造を説明するための図である。図３（Ａ）は、マイクキャップの上面図であり、図３（Ｂ）は、（Ａ）に示すＢＢ線におけるマイクキャップの断面図であり、図３（Ｃ）は、マイクキャップの斜視図である。
【００３４】
上述の第１の実施形態では、空気通路部として切込み部１１−ｂを形成したマイクキャップ１１を用いたが、第１の変形形態では、マイクキャップ１１の代わりに、図３に示すように、空気通路部として側部１２−ｉ内面に溝部１２−ｂを形成したマイクキャップ１２を用いるものである。従って、第１の変形形態に係る防水構造のマイクロホン１０は、このマイクキャップ１２を除き、図１に示す構成と同様であるので、その説明を省略する。
【００３５】
また、マイクキャップ１２における第２入口部１２−ａ、内部空間１２−ｃ、段部１２−ｄ、開口部１２−ｅ、壁面部１２−ｆ、開口部１２−ｇ、集音面前面ギャップ１２−ｈ、防水シート後面ギャップ１０７及び側部１２−ｉは、図２に示すマイクキャップ１１における第２入口部１１−ａ、内部空間１２−ｃ、段部１１−ｄ、開口面１１−ｅ、壁面部１１−ｆ、開口面１１−ｇ、集音面前面ギャップ１１−ｈ、防水シート後面ギャップ１０７及び側部１１−ｉとそれぞれ同様なのでその説明を省略する。
【００３６】
そして、マイクキャップ１２には、防水シート後面ギャップ１０７から外部に通じる空気通路部となる線状の凹部である溝部１２−ｂが、筒形状の側部１２−ｉにおける内面に開口面１２−ｅから壁面部１２−ｆにおける集音面前面ギャップ１２−ｈの一面を構成する面まで、軸方向に沿って形成される。この溝部１２−ｂとマイクロホン１０１の外周面とでパイプ状の空間が形成され、これが空気通路部となる。
【００３７】
このような構成のマイクキャップ１２を備える防水構造のマイクロホン１０は、上述と同様に、マイクキャップ１２に空気通路部となる溝部１２−ｂを備えるので、防水シート後面ギャップ１０７は、第２入口部１２−ａ、集音面前面ギャップ１２−ｈ及び溝部１２−ｂを介して外部と通じるようにすることができるから、第１入口部１０２−ａに取り込まれた音波を従来よりも確実にマイクロホン１０１に伝播することができる。従って、従来よりもマイクロホン１０１からより大きな出力を得ることができ、防水構造のマイクロホン１０における感度を向上することができる。また、空気通路部は、溝で形成されるので、マイクキャップ１２を形成する際に同時に形成することができる。
【００３８】
次に、第１の実施形態における第２の変形形態について説明する。
（第１の実施形態における第２の変形形態）
図４は、第１の実施形態における第２の変形形態に係るマイクキャップの構造を説明するための図である。図４（Ａ）は、マイクキャップの上面図であり、図４（Ｂ）は、（Ａ）に示すＣＣ線におけるマイクキャップの断面図であり、図４（Ｃ）は、マイクキャップの斜視図である。
【００３９】
上述の第１の実施形態では、空気通路部として切込み部１１−ｂを形成したマイクキャップ１１を用いたが、第２の変形形態では、マイクキャップ１１の代わりに、図４に示すように、テープ１３を側部１０４−ｉの外面に貼着したマイクキャップ１０４を用いるものである。従って、第２の変形形態に係る防水構造のマイクロホン１０は、このマイクキャップ１０４にテープ１３を貼着することを除き、図１に示す構成と同様であるので、その説明を省略する。
【００４０】
また、マイクキャップ１０４における第２入口部１０４−ａ、内部空間１０４−ｃ、段部１０４−ｄ、開口部１０４−ｅ、壁面部１０４−ｆ、開口部１０４−ｇ、集音面前面ギャップ１０４−ｈ、防水シート後面ギャップ１０７及び側部１０４−ｉは、図２に示すマイクキャップ１１における第２入口部１１−ａ、内部空間１２−ｃ、段部１１−ｄ、開口面１１−ｅ、壁面部１１−ｆ、開口面１１−ｇ、集音面前面ギャップ１１−ｈ、防水シート後面ギャップ１０７及び側部１１−ｉとそれぞれ同様なのでその説明を省略する。
【００４１】
テープ１３は、所定の厚さを有し、マイクキャップ１０４の側部１３−ｊの外面に開口面１０４−ｇからテープ１３を軸方向に沿って貼着する。これによって側部１３−ｊの外面とテープ１３の厚さによって形成される段差によって、側部１３−ｊの外面とテープ１３の側面と防水シート１０３とでパイプ状の空間１３−ｂが形成され、これが空気通路部となる。テープ１３の厚さは、厚過ぎると防水構造のマイクロホン１０の大きさが大きくなって好ましくなく、また、薄過ぎると防止シート後面ギャップ１０７が外部に通じなくなるので、例えば、０．５ｍｍや１ｍｍ程度である。テープ１３は、開口面１０４−ｅまで貼着してもよいし、開口面１０４−ｇと開口面１０４−ｅの途中でもよく、要は、防水シート後面ギャップ１０７と外部とが空間１３−ｂによって通じるように為されればよい。
【００４２】
このような構成のマイクキャップ１０４を備える防水構造のマイクロホン１０は、上述と同様に、マイクキャップ１０４に空気通路部となる空間１３−ｂを備えるので、防水シート後面ギャップ１０７は、空間１３−ｂを介して外部と通じるようにすることができるから、第１入口部１０２−ａに取り込まれた音波を従来よりも確実にマイクロホン１０１に伝播することができる。従って、従来よりもマイクロホン１０１からより大きな出力を得ることができ、防水構造のマイクロホン１０における感度を向上することができる。また、空気通路部は、テープ１３を貼着することによって形成されるので、従来のマイクキャップ１０４を利用することができる。
【００４３】
次に、第１の実施形態における第３の変形形態について説明する。
（第１の実施形態における第３の変形形態）
図５は、第１の実施形態における第３の変形形態に係るマイクキャップの構造を説明するための図である。図５（Ａ）は、マイクキャップの上面図であり、図５（Ｂ）は、（Ａ）に示すＤＤ線におけるマイクキャップの断面図であり、図５（Ｃ）は、マイクキャップの斜視図である。
【００４４】
上述の第１の実施形態では、空気通路部として切込み部１１−ｂを形成したマイクキャップ１１を用いたが、第３の変形形態では、マイクキャップ１１の代わりに、図５に示すように、側部１４−ｉの内面に複数の突起部１４−ｊ（１４−ｊ１〜１４−ｊ８）を形成したマイクキャップ１４を用いるものである。従って、第３の変形形態に係る防水構造のマイクロホン１０は、このマイクキャップ１４を除き、図１に示す構成と同様であるので、その説明を省略する。
【００４５】
また、マイクキャップ１４における第２入口部１４−ａ、内部空間１４−ｃ、段部１４−ｄ、開口部１４−ｅ、壁面部１４−ｆ、開口部１４−ｇ、集音面前面ギャップ１４−ｈ、防水シート後面ギャップ１０７及び側部１４−ｉは、図２に示すマイクキャップ１１における第２入口部１１−ａ、内部空間１２−ｃ、段部１１−ｄ、開口面１１−ｅ、壁面部１１−ｆ、開口面１１−ｇ、集音面前面ギャップ１１−ｈ、防水シート後面ギャップ１０７及び側部１１−ｉとそれぞれ同様なのでその説明を省略する。
【００４６】
そして、マイクキャップ１４には、側部１４−ｉの内面に複数の突起部１４−ｊ（１４−ｊ１〜１４−ｊ８）が所定の高さで形成される。本変形形態では、突起部１４−ｊは、球面を内部に向けた略半球形形状であり、略９０度の等間隔で上下２段に側部１４−ｉの内面に８個形成される。マイクキャップ１４の内部空間１４−ｃに開口面１４−ｅからマイクロホン１０１が押し込まれると、この複数の突起部１４−ｊによってマイクロホン１０１が支持されて、マイクキャップ１４の側部１４−ｉの内面とマイクロホン１０１の外周面との間に空間１４−ｂが形成される。この空間１４−ｂが空気通路部となる。なお、突起部１４−ｊ５、１４−ｊ７は、図５に図示されていない。また、上述では、突起部１４−ｊは、８個であるが、突起部１４−ｊによって空間１４−ｂを形成すると共にマイクロホン１０１を安定的に支持することができる個数であれば、任意の複数個でよい。
【００４７】
そして、突起部１４−ｊの高さは、高過ぎると防水構造のマイクロホン１０の大きさが大きくなって好ましくなく、また、低過ぎると防止シート後面ギャップ１０７が外部に通じなくなるので、例えば、０．５ｍｍや１ｍｍ程度である。
【００４８】
このような構成のマイクキャップ１４を備える防水構造のマイクロホン１０は、上述と同様に、マイクキャップ１４の突起部１４−ｊによってマイクロホン１０１の外周面との間に空気通路部となる空間１４−ｂが形成されるので、防水シート後面ギャップ１０７は、空間１４−ｂを介して外部と通じるようにすることができるから、第１入口部１０２−ａに取り込まれた音波を従来よりも確実にマイクロホン１０１に伝播することができる。従って、従来よりもマイクロホン１０１からより大きな出力を得ることができ、防水構造のマイクロホン１０における感度を向上することができる。また、空気通路部は、突起で形成されるので、マイクキャップ１４を形成する際に同時に形成することができる。
【００４９】
ここで、上述の第３の変形形態では、突起部１４−ｊは、略半球形形状であるが、図６に示すように、マイクキャップ１４’の周方向に線状形状でもよい。
【００５０】
図６は、第１の実施形態における第３の変形形態に係るマイクキャップの他の構造を説明するための図である。図６（Ａ）は、マイクキャップの上面図であり、図６（Ｂ）は、（Ａ）に示すＥＥ線におけるマイクキャップの断面図であり、図６（Ｃ）は、マイクキャップの斜視図である。なお、図６（Ｃ）では、図を見やすくするために、重なる陰影線（破線）を省略している。図７は、マイクキャップを周方向に開いた内側の展開図である。
【００５１】
図６及び図７に示すように、突起部１４’−ｊ（１４’−ｊ１〜１４’−ｊ９）は、幅のある、周方向に線状形状であり、略１２０度の等間隔で上中下３段に側部１４−ｉの内面に９個形成され、軸方向における上下方向に千鳥格子状に配置されている。なお、この例では、突起部１４’−ｊは、９個であるが、突起部１４’−ｊによって空間１４’−ｂを形成すると共にマイクロホン１０１を安定的に支持することができ、かつ、千鳥格子状に配置され得る個数であれば、任意の複数個でよい。
【００５２】
このような形状の突起部１４’−ｊを備えるマイクキャップ１４’を用いた防水構造のマイクロホンでは、千鳥格子状に配置された突起部１４’−ｊによって緩やかに空気が流れるでの、より多くの音のエネルギーをマイクロホン１０１によって集音することができる。
【００５３】
次に、第１の実施形態における第４の変形形態について説明する。
（第１の実施形態における第４の変形形態）
図８は、第１の実施形態における第４の変形形態に係るマイクキャップの構造を説明するための図である。図８（Ａ）は、マイクキャップの上面図であり、図８（Ｂ）は、（Ａ）に示すＦＦ線におけるマイクキャップの断面図であり、図８（Ｃ）は、マイクキャップの斜視図である。
【００５４】
上述の第１の実施形態では、空気通路部として切込み部１１−ｂを形成したマイクキャップ１１を用いたが、第４の変形形態では、マイクキャップ１１の代わりに、図８に示すように、空気通路部として外側面に溝部を形成すると共に側部１６−ｉを貫通した貫通孔とを形成したマイクキャップ１６を用いるものである。従って、第４の変形形態に係る防水構造のマイクロホン１０は、このマイクキャップ１６を除き、図１に示す構成と同様であるので、その説明を省略する。
【００５５】
また、マイクキャップ１６における第２入口部１６−ａ、内部空間１６−ｃ、段部１６−ｄ、開口部１６−ｅ、壁面部１６−ｆ、開口部１６−ｇ、集音面前面ギャップ１６−ｈ、防水シート後面ギャップ１０７及び側部１６−ｉは、図２に示すマイクキャップ１１における第２入口部１１−ａ、内部空間１２−ｃ、段部１１−ｄ、開口面１１−ｅ、壁面部１１−ｆ、開口面１１−ｇ、集音面前面ギャップ１１−ｈ、防水シート後面ギャップ１０７及び側部１１−ｉとそれぞれ同様なのでその説明を省略する。
【００５６】
そして、マイクキャップ１６には、開口面１６−ｅから壁面部１６−ｆにおける集音面前面ギャップ１６−ｈの一面を構成する面まで、筒形状の側部１６−ｉにおける外側面に軸方向に沿って溝部１６−ｂ１が形成され、壁面部１６−ｆにおける集音面前面ギャップ１６−ｈの一面を構成する面に沿って、側部１６−ｉを径方向で貫通する貫通孔１６−ｂ２が形成される。この貫通孔１６−ｂ２の一方開口は、溝部１６−ｂ１に臨むように形成され、他方開口は、集音面前面ギャップ１６−ｈに臨むように形成される。これによって集音面前面ギャップ１６−ｈと溝部１６−ｂ１が連通される。この溝部１６−ｂ１と防水シート１０３とでパイプ状の空間が形成され、貫通孔１６−ｂ２と合わせて空気通路部となる。
【００５７】
このような構成のマイクキャップ１６を備える防水構造のマイクロホン１０は、上述と同様に、マイクキャップ１６に空気通路部となる溝部１６−ｂ１及び貫通孔１６−ｂ２を備えるので、防水シート後面ギャップ１０７は、第２入口部１６−ａ、集音面前面ギャップ１６−ｈ、貫通孔１６−ｂ２及び溝部１６−ｂ１を介して外部と通じるようにすることができるから、第１入口部１０２−ａに取り込まれた音波を従来よりも確実にマイクロホン１０１に伝播することができる。従って、従来よりもマイクロホン１０１からより大きな出力を得ることができ、防水構造のマイクロホン１０における感度を向上することができる。また、空気通路部は、溝及び孔で形成されるので、マイクキャップ１６を形成する際に同時に形成することができる。
【００５８】
次に、第１の実施形態における第５の変形形態について説明する。
（第１の実施形態における第５の変形形態）
図９は、第１の実施形態における第５の変形形態に係るマイクキャップの構造を説明するための図である。図９（Ａ）は、マイクキャップの上面図であり、図９（Ｂ）は、（Ａ）に示すＧＧ線におけるマイクキャップの断面図であり、図９（Ｃ）は、マイクキャップの斜視図である。
【００５９】
上述の第１の実施形態では、空気通路部として切込み部１１−ｂを形成したマイクキャップ１１を用いたが、第５の変形形態では、マイクキャップ１１の代わりに、図９に示すように、空気通路部として外側面に溝部を形成したマイクキャップ１７を用いるものである。従って、第５の変形形態に係る防水構造のマイクロホン１０は、このマイクキャップ１７を除き、図１に示す構成と同様であるので、その説明を省略する。
【００６０】
また、マイクキャップ１７における第２入口部１７−ａ、内部空間１７−ｃ、段部１７−ｄ、開口部１７−ｅ、壁面部１７−ｆ、開口部１７−ｇ、集音面前面ギャップ１７−ｈ、防水シート後面ギャップ１０７及び側部１７−ｉは、図２に示すマイクキャップ１１における第２入口部１１−ａ、内部空間１２−ｃ、段部１１−ｄ、開口面１１−ｅ、壁面部１１−ｆ、開口面１１−ｇ、集音面前面ギャップ１１−ｈ、防水シート後面ギャップ１０７及び側部１１−ｉとそれぞれ同様なのでその説明を省略する。
【００６１】
そして、マイクキャップ１７には、開口面１６−ｅから開口面１７−ｇまで、筒形状の側部１７−ｉにおける外側面に軸方向に沿って溝部１７−ｂが形成される。この溝部１７−ｂと防水シート１０３とでパイプ状の空間が形成され、これが空気通路部となる。
【００６２】
このような構成のマイクキャップ１７を備える防水構造のマイクロホン１０は、上述と同様に、マイクキャップ１７に空気通路部となる溝部１７−ｂを備えるので、防水シート後面ギャップ１０７は、第２入口部１７−ａ、集音面前面ギャップ１７−ｈ及び溝部１７−ｂを介して外部と通じるようにすることができるから、第１入口部１０２−ａに取り込まれた音波を従来よりも確実にマイクロホン１０１に伝播することができる。従って、従来よりもマイクロホン１０１からより大きな出力を得ることができ、防水構造のマイクロホン１０における感度を向上することができる。また、空気通路部は、溝で形成されるので、マイクキャップ１７を形成する際に同時に形成することができる。
【００６３】
なお、上述では、溝部１２−ｂ、１７−ｂ、溝部１６−ｂ１及び貫通孔１６−ｂ２は、１個であるが、複数個形成してもよい。また、溝部１２−ｂ、１７−ｂ、溝部１６−ｂ１及び貫通孔１６−ｂ２の断面形状は、例えば矩形や半円形等の任意の形状でよい。要は、防水シート後面ギャップ１０７と外部とが溝部１２−ｂ、１７−ｂ、溝部１６−ｂ１及び貫通孔１６−ｂ２によって通じるように為されればよい。
【００６４】
次に、別の実施形態について説明する。
（第２の実施形態）
第１の実施形態に係る防水構造のマイクロホン１０は、その変形である第１乃至第５の変形形態に係る防水構造のマイクロホン１０を含めて、マイクキャップ１１〜１７に空気通路部を備える実施形態であるが、第２の実施形態に係る防水構造のマイクロホン（符号を２０とする）は、マイクロホン１０１に空気通路部を備える実施形態である。
【００６５】
即ち、第２の実施形態に係る、音を通過させ得る第１入口部を形成した面を内部に有して被実装機器の筐体に設けられた凹部に、防水シートを介して、音を通過させ得る第２入口部を有するマイクキャップを装着した状態で、前記前面と前記防水シートとの間に第１ギャップを形成するようにかつ前記防水シートと前記マイクキャップとの間に第２ギャップを形成するように挿着される防水構造のマイクロホン２０は、前記第２ギャップから外部へ通じる空気通路部をマイクロホンに設けたものである。
【００６６】
図１０は、第２の実施形態に係るマイクロホンの構造を説明するための図である。図１０（Ａ）は、マイクロホンの上面図であり、図１０（Ｂ）は、マイクロホンの斜視図である。なお、図１０（Ａ）では、マイクキャップ１０４が二点鎖線で示されている。
【００６７】
第２の実施形態に係る防水構造のマイクロホン２０は、上述のように、マイクロホン１０１の代わりに、図１０に示すように、空気通路部を備えるマイクロホン２１を用いるものである。従って、第２の実施形態に係る防水構造のマイクロホン２０は、このマイクロホン２１を除き、図１に示す構成と同様であるので、その説明を省略する。
【００６８】
マイクロホン２１は、その略円筒形状である筐体の外周面（側面外側）に上面から底面まで軸方向に断面略コ字状の溝部２１−ａを備える。この溝部２１−ａと防水シート１０３とでパイプ状の空間が形成され、これが空気通路部となる。なお、上述では、溝部２１−ａは、１個であるが、複数個形成してもよい。また、溝部２１−ａの断面形状は、例えば矩形や半円形等の任意の形状でよい。要は、防水シート後面ギャップ１０７と外部とが溝部２１−ａによって通じるように為されればよい。
【００６９】
このように本実施形態に係る防水構造のマイクロホン２０は、マイクロホン２１に空気通路部となる溝部２１−ａを備えるので、マイクロホン２１がマイクキャップ１０４を装着してさらに防水シート１０３を被せた状態で、筐体１０２の突片部１０２−ｂによる内部空間１０２−ｃに押し込まれて被実装機器に実装されたとしても、防水シート後面ギャップ１０７は、第２入口部１０２−ａ、集音面前面ギャップ及び溝部２１−ａを介して外部と通じるようにすることができる。このため、防水シート後面ギャップ１０７、第２入口部１０２−ａ及び集音面前面ギャップの各気圧は、外部の気圧と略等しくすることができるから、第１入口部１０２−ａに取り込まれた音波によって防水シート１０３が良好に振動することができ、この取り込まれた音波を従来よりも確実に防水シート後面ギャップ１０７、第２入口部１０２−ａ及び集音面前面ギャップを介して、マイクロホン１０１に伝播することができる。従って、従来よりもマイクロホン１０１からより大きな出力を得ることができ、防水構造のマイクロホン２０における感度を向上することができる。また、空気通路部は、マイクロホン２１に形成されるので、従来のマイクキャップ１０４及び筐体１０２の突片部１０３をそのまま利用することができる。
【００７０】
次に、第２の実施形態における変形形態について説明する。
（第２の実施形態における変形形態）
図１１は、第２の実施形態における変形形態に係るマイクキャップの構造を説明するための図である。図１１（Ａ）は、マイクロホンの上面図であり、図１１（Ｂ）は、（Ａ）に示すＨＨ線におけるマイクロホンの断面図であり、図１１（Ｃ）は、空気弁の動作を説明するための図である。なお、図１１（Ａ）では、マイクキャップ１０４が二点鎖線で示され、図１１（Ｂ）では、空気通路部及び空気弁を示し、音波による機械的振動を電気信号に変換する部分については、省略されている。
【００７１】
上述の第２の実施形態では、空気通路部として溝部２１−ａを形成したマイクロホン２１を用いたが、変形形態では、マイクロホン２１の代わりに、図１１に示すように、空気通路部２２−ａに空気弁２２−ｂを備えたマイクロホン２２を用いるものである。従って、変形形態に係る防水構造のマイクロホン２０は、このマイクロホン２２を除き、図１に示す構成と同様であるので、その説明を省略する。
【００７２】
空気通路部２２−ａは、マイクロホン２２の上面から底面まで貫通した断面略円形形状の筒状貫通孔であって、径が徐々に小さくなってすり鉢状の絞込み部がその途中にあり、上面における開口よりも底面における開口の径が小さくなっている。
【００７３】
空気弁２２−ｂは、この空気通路部２２−ａにおける絞込み部の形状と相似形状であって、磁石又は磁性材料で形成されている。そして、この空気通路部２２−ａにおける絞込み部の両側には、コイル２２−ｃ、２２−ｃがそれぞれ配置されている。
【００７４】
コイル２２−ｃ、２２−ｃは、図１１（ｃ）に示すように直列に接続されている。直列接続されたコイル２２−ｃ、２２−ｃの両端の端子Ｔ１、Ｔ２に電圧を印加することによってコイル２２−ｃ、２２−ｃに磁界が発生して電磁石を構成し、このコイル２２−ｃ、２２−ｃの磁力と空気弁２２−ｂの磁力との間に生じる反発力又は吸引力によって空気弁２２−ｂが上下方向に動き、空気通路部２２−ａを開閉する。なお、下方向に集音面があるとする。また、空気弁２２−ｂが磁性材料で形成されている場合には、初めに磁化させる必要がある。
【００７５】
電圧は、マイクロホン１０１が動作中には空気通路部２２−ａを開くために空気弁２２−ｂが反発力によって上方向に動くように印加され、マイクロホン１０１が不動作中には空気通路部２２−ａを閉じるために空気弁２２−ｂが吸引力によって下方向に動くように印加される。なお、図１１（Ｂ）は、空気弁２２−ｂが上方向に動き、空気通路部２２−ａが開いた状態を示している。
【００７６】
このように空気弁２２−ｂによって不動作中は、空気通路部２２−ａが閉じられるので、外部から集音面前面ギャップや防水シート後面ギャップ１０７に埃や塵等が入り込むことを抑制することができる。
【図面の簡単な説明】
【００７７】
【図１】第１の実施形態に係る防水構造のマイクロホンの断面図である。
【図２】第１の実施形態に係るマイクキャップの構造を説明するための図である。
【図３】第１の実施形態における第１の変形形態に係るマイクキャップの構造を説明するための図である。
【図４】第１の実施形態における第２の変形形態に係るマイクキャップの構造を説明するための図である。
【図５】第１の実施形態における第３の変形形態に係るマイクキャップの構造を説明するための図である。
【図６】第１の実施形態における第３の変形形態に係るマイクキャップの他の構造を説明するための図である。
【図７】マイクキャップを周方向に開いた内側の展開図である。
【図８】第１の実施形態における第４の変形形態に係るマイクキャップの構造を説明するための図である。
【図９】第１の実施形態における第５の変形形態に係るマイクキャップの構造を説明するための図である。
【図１０】第２の実施形態に係るマイクロホンの構造を説明するための図である。
【図１１】第２の実施形態における変形形態に係るマイクキャップの構造を説明するための図である。
【図１２】特許文献１に記載の防水構造を備えるマイクロホンを示す断面図である。
【図１３】特許文献１に記載の防水構造を示す分解斜視図である。
【符号の説明】
【００７８】
１０  防水構造のマイクロホン
１１、１２、１４、１４’、１６、１７、１０４  マイクキャップ
１１−ｂ  切込み部
１２−ｂ、１６−ｂ１、１７−ｂ、２１−ａ、２２−ａ  溝部
１３  テープ
１４−ｊ、１４’−ｊ  突起部
１６−ｂ２  貫通孔
２１、２２、１０１  マイクロホン
２２−ｂ  空気弁
２２−ｃ  コイル
【図１】
2005184422.tif 000003
【図２】
2005184422.tif 000004
【図３】
2005184422.tif 000005
【図４】
2005184422.tif 000006
【図５】
2005184422.tif 000007
【図６】
2005184422.tif 000008
【図７】
2005184422.tif 000009
【図８】
2005184422.tif 000010
【図９】
2005184422.tif 000011
【図１０】
2005184422.tif 000012
【図１１】
2005184422.tif 000013
【図１２】
2005184422.tif 000014
【図１３】
2005184422.tif 000015